(57)【要約】【課題】  安価な構造でプラグの抜き差しに対して補強すること。【解決手段】  プリント配線基板からなるメイン基板５に固定されたジャック本体４Ａと該ジャック本体４Ａの端面４ａに一体突設されたジャック軸４Ｂとからなり、該ジャック軸４Ｂにプラグ７を接続するようにしたジャック４を補強するためのジャック補強装置であって、ジャック軸４Ｂよりも大径のジャック嵌合孔９Ａを貫設し両端に係合溝９Ｂを形成した補強板９と、一対の連結板１０とを有し、補強板９の各係合溝９Ｂに対向してメイン基板５に一対の係合孔１１が貫設されており、補強板９のジャック嵌合孔９Ａをジャック軸４Ｂに遊嵌合させて該補強板９をジャック本体４Ａの端面４ａに当接させ、各連結板１０の両端部をメイン基板５の各係合孔１１と補強板９の各係合溝９Ｂに係合させることにより、その補強板９が各連結板１０を介してメイン基板５に連結されている。【選択図】        図１
2008282562.tif 000002
【特許請求の範囲】
【請求項１】
プリント配線基板からなるメイン基板に固定されたジャック本体と該ジャック本体の端
面に一体突設されたジャック軸とからなり、該ジャック軸にプラグを接続するようにした
ジャックを補強するためのジャック補強装置であって、前記ジャック軸よりも大径のジャ
ック嵌合孔を貫設し両端に係合溝を形成した補強板と、一対の連結板とを有し、前記補強
板の各係合溝に対向してメイン基板に一対の係合孔が貫設されており、前記補強板のジャ
ック嵌合孔をジャック軸に遊嵌合させて該補強板をジャック本体の端面に当接させ、各連
結板の両端部をメイン基板の各係合孔と補強板の各係合溝に係合させることにより、その
補強板が各連結板を介してメイン基板に連結されていることを特徴とするジャック補強装
置。
【請求項２】
前記各連結板が、縦杆部と、該縦杆部の両端から両側方に突出するＴ字部とからなり、
各連結板の縦杆部をメイン基板の各係合孔と補強板の各係合溝に係合させ、その各連結板
の両端Ｔ字部をメイン基板と補強板とにそれぞれ係合させるようにしたことを特徴とする
請求項１に記載のジャック補強装置。
【請求項３】
前記メイン基板の各係合孔が、ジャックに向かって延びる縦孔部と、該縦孔部の外側端
部からその縦孔部の形成方向とは直交する方向に沿って延びる横孔部とにより、平面視略
Ｔ字状に形成されており、各連結板の一端Ｔ字部を各横孔部に挿入し、該各連結板をジャ
ックに向かってスライドさせることにより、その各連結板の縦杆部をメイン基板の各縦孔
部と補強板の各係合溝とにそれぞれ係合させ、各連結板の両端Ｔ字部をメイン基板と補強
板とにそれぞれ係合させるようにしたことを特徴とする請求項２に記載のジャック補強装
置。
【請求項４】
前記各係合溝の内周面から該係合溝内に突出する凸部が設けられ、該凸部に対向して各
連結板に連結孔が形成されており、各連結板の縦杆部をメイン基板の各縦孔部と補強板の
各係合溝に係合させることにより、各連結孔を各凸部に嵌合させるようにしたことを特徴
とする請求項３に記載のジャック補強装置。
【請求項５】
前記メイン基板の各係合孔が、ジャックに向かって延びる縦孔部と、該縦孔部の中央に
形成され縦杆部の幅よりも大径の下側円形孔部とからなり、補強板の各係合溝が、前記各
縦孔部に沿って延びる縦溝部と、該縦溝部に形成されて前記下側円形孔部と同径で同心状
に位置決めされる上側円形孔部とからなっており、各連結板の縦杆部がメイン基板の各縦
孔部と補強板の各縦溝部を通って上下両円形孔部に挿入された状態で、該各連結板を所定
角度回転させることにより、各連結板の両端Ｔ字部をメイン基板と補強板とにそれぞれ係
合させるようにしたことを特徴とする請求項２に記載のジャック補強装置。
【請求項６】
薄型表示装置内のプリント配線基板からなるメイン基板に固定されたジャック本体と該
ジャック本体の端面に一体突設されたジャック軸とからなり、該ジャック軸にプラグを接
続するようにしたＲＣＡジャックを補強するためのジャック補強装置であって、前記ジャ
ック軸よりも大径のジャック嵌合孔を貫設し両端に係合溝を形成した補強板と、一対の連
結板とを有し、その補強板と両連結板とがメイン基板から切り離される捨て基板により形
成され、前記各連結板が、縦杆部と、該縦杆部の両端から両側方に突出するＴ字部とから
なり、前記補強板の各係合溝に対向してメイン基板に一対の係合孔が貫設され、該各係合
孔が、ジャックに向かって延びる縦孔部と、該縦孔部の外側端部からその縦孔部の形成方
向とは直交する方向に沿って延びる横孔部とにより、平面視略Ｔ字状に形成されており、
前記補強板のジャック嵌合孔をジャック軸に遊嵌合させて該補強板をジャック本体の端面
に当接させ、各連結板の一端Ｔ字部を各横孔部に挿入し、該各連結板をジャックに向かっ
てスライドさせることにより、その各連結板の縦杆部をメイン基板の各縦孔部と補強板の
各係合溝とにそれぞれ係合させ、各連結板の両端Ｔ字部をメイン基板と補強板とにそれぞ
れ係合させるようにしたことを特徴とするジャック補強装置。
【発明の詳細な説明】
【技術分野】
【０００１】
本発明は、例えば液晶テレビなどの薄型表示装置に設けたＲＣＡジャックなどのジャッ
ク補強装置に関し、特に、安価な構造でプラグの抜き差しに対して補強したものである。
【背景技術】
【０００２】
図８は液晶テレビなどの薄型表示装置１の裏面側斜視図を示すものであって、その表面
に表示面２が形成され、リアカバー３にＲＣＡジャック４が配置されている。
【０００３】
図９（ａ）の縦断面図及び図９（ｂ）の斜視図に示すように、前記ＲＣＡジャック４は
、薄型表示装置１内のプリント配線基板からなるメイン基板５に配置されたジャック本体
４Ａと該ジャック本体４Ａの端面４ａに一体突設されたジャック軸４Ｂとからなり、前記
ジャック本体４Ａの端子４ｂをメイン基板５のプリント配線回路に半田付け６することに
より、そのジャック本体４Ａがメイン基板５に固定されており、前記ジャック軸４Ｂにプ
ラグ７を接続する。
【０００４】
上記構成によれば、図９（ａ）に示すように、ジャック軸４Ｂに対してプラグ７を抜き
差したときにメイン基板５に過大な引張力Ｆ１と押込力Ｆ２とがかかり、それが繰り返さ
れることにより、ジャック本体４Ａの固定が弛んだり半田付け６が剥離されて断線するお
それがある。
【０００５】
従来、上記難点を解消する技術として特許文献１に記載したものがある。これは、３つ
の補強部材でジャック本体４Ａの両側面及び背面を支持するものである。
【特許文献１】特開２００６−２４５０３号公報
【発明の開示】
【発明が解決しようとする課題】
【０００６】
上記従来の構成によると、ジャック本体４Ａの両側面を支持する両補強部材が、該ジャ
ック本体４Ａの横振れを阻止するだけであり、プラグ７の抜き差しにより生じた引張力Ｆ
１及び押込力Ｆ２に対して補強する機能は無い。また、ジャック本体４Ａの背面を支持す
る補強部材は、プラグ７の差し込みにより生じた押込力Ｆ２に対して補強する機能を有し
ているが、そのプラグ７の引き抜きにより生じた引張力Ｆ１に対して補強する機能はない
。従って、プラグ７の抜き差しを繰り返すことにより、そのプラグ７の引き抜きによる引
張力Ｆ１でジャック本体４Ａの固定が弛んだり半田付け６が剥離されて断線するおそれが
ある。
【０００７】
本発明は、上記従来の欠点に鑑み、安価な構造でプラグの抜き差しに対して補強したジ
ャック補強装置を提供することを目的としている。
【課題を解決するための手段】
【０００８】
上記目的を達成するため、請求項１に記載の発明は、プリント配線基板からなるメイン
基板に固定されたジャック本体と該ジャック本体の端面に一体突設されたジャック軸とか
らなり、該ジャック軸にプラグを接続するようにしたジャックを補強するためのジャック
補強装置であって、前記ジャック軸よりも大径のジャック嵌合孔を貫設し両端に係合溝を
形成した補強板と、一対の連結板とを有し、前記補強板の各係合溝に対向してメイン基板
に一対の係合孔が貫設されており、前記補強板のジャック嵌合孔をジャック軸に遊嵌合さ
せて該補強板をジャック本体の端面に当接させ、各連結板の両端部をメイン基板の各係合
孔と補強板の各係合溝に係合させることにより、その補強板が各連結板を介してメイン基
板に連結されていることを特徴としている。
【０００９】
請求項２に記載の発明は、請求項１に記載の発明において、前記各連結板が、縦杆部と
、該縦杆部の両端から両側方に突出するＴ字部とからなり、各連結板の縦杆部をメイン基
板の各係合孔と補強板の各係合溝に係合させ、その各連結板の両端Ｔ字部をメイン基板と
補強板とにそれぞれ係合させるようにしたことを特徴としている。
【００１０】
請求項３に記載の発明は、請求項２に記載の発明において、前記メイン基板の各係合孔
が、ジャックに向かって延びる縦孔部と、該縦孔部の外側端部からその縦孔部の形成方向
とは直交する方向に沿って延びる横孔部とにより、平面視略Ｔ字状に形成されており、各
連結板の一端Ｔ字部を各横孔部に挿入し、該各連結板をジャックに向かってスライドさせ
ることにより、その各連結板の縦杆部をメイン基板の各縦孔部と補強板の各係合溝とにそ
れぞれ係合させ、各連結板の両端Ｔ字部をメイン基板と補強板とにそれぞれ係合させるよ
うにしたことを特徴としている。
【００１１】
請求項４に記載の発明は、請求項３に記載の発明において、前記各係合溝の内周面から
該係合溝内に突出する凸部が設けられ、該凸部に対向して各連結板に連結孔が形成されて
おり、各連結板の縦杆部をメイン基板の各縦孔部と補強板の各係合溝に係合させることに
より、各連結孔を各凸部に嵌合させるようにしたことを特徴としている。
【００１２】
請求項５に記載の発明は、請求項２に記載の発明において、前記メイン基板の各係合孔
が、ジャックに向かって延びる縦孔部と、該縦孔部の中央に形成され縦杆部の幅よりも大
径の下側円形孔部とからなり、補強板の各係合溝が、前記各縦孔部に沿って延びる縦溝部
と、該縦溝部に形成されて前記下側円形孔部と同径で同心状に位置決めされる上側円形孔
部とからなっており、各連結板の縦杆部がメイン基板の各縦孔部と補強板の各縦溝部を通
って上下両円形孔部に挿入された状態で、該各連結板を所定角度回転させることにより、
各連結板の両端Ｔ字部をメイン基板と補強板とにそれぞれ係合させるようにしたことを特
徴としている。
【００１３】
請求項６に記載の発明は、薄型表示装置内のプリント配線基板からなるメイン基板に固
定されたジャック本体と該ジャック本体の端面に一体突設されたジャック軸とからなり、
該ジャック軸にプラグを接続するようにしたＲＣＡジャックを補強するためのジャック補
強装置であって、前記ジャック軸よりも大径のジャック嵌合孔を貫設し両端に係合溝を形
成した補強板と、一対の連結板とを有し、その補強板と両連結板とがメイン基板から切り
離される捨て基板により形成され、前記各連結板が、縦杆部と、該縦杆部の両端から両側
方に突出するＴ字部とからなり、前記補強板の各係合溝に対向してメイン基板に一対の係
合孔が貫設され、該各係合孔が、ジャックに向かって延びる縦孔部と、該縦孔部の外側端
部からその縦孔部の形成方向とは直交する方向に沿って延びる横孔部とにより、平面視略
Ｔ字状に形成されており、前記補強板のジャック嵌合孔をジャック軸に遊嵌合させて該補
強板をジャック本体の端面に当接させ、各連結板の一端Ｔ字部を各横孔部に挿入し、該各
連結板をジャックに向かってスライドさせることにより、その各連結板の縦杆部をメイン
基板の各縦孔部と補強板の各係合溝とにそれぞれ係合させ、各連結板の両端Ｔ字部をメイ
ン基板と補強板とにそれぞれ係合させるようにしたことを特徴としている。
【発明の効果】
【００１４】
請求項１に記載の発明によれば、ジャック本体をメイン基板と補強板とで挟んだ状態で
、該補強板が各連結板を介してメイン基板に連結されているから、プラグの抜き差しを繰
り返しても、該プラグの差し込みにより生じた押込力に対してはメイン基板で補強し、そ
のプラグの引き抜きにより生じた引張力に対しては補強板で補強するものであって、従来
のように引張力によりジャック本体の固定が弛んだり半田付けが剥離されて断線すること
がなく、ジャック本体をメイン基板に長期にわたって確実に固定することができる。
【００１５】
請求項２に記載の発明によれば、各連結板の縦杆部をメイン基板の各係合孔と補強板の
各係合溝に係合させ、該各連結板の両端Ｔ字部をメイン基板と補強板とにそれぞれ係合さ
せているので、両連結板を介して補強板をメイン基板に確実に連結して、ジャックを補強
することができる。
【００１６】
請求項３に記載の発明によれば、各連結板の一端Ｔ字部をメイン基板の各横孔部に挿入
し、該各連結板をジャックに向かってスライドさせ、その各連結板の縦杆部をメイン基板
の各縦孔部と補強板の各係合溝とにそれぞれ係合させるだけで、各連結板の両端Ｔ字部を
補強板とメイン基板とに係合させてジャックを補強することができる。
【００１７】
請求項４に記載の発明によれば、各連結板の連結孔を補強板の各凸部に嵌合させること
により、その各連結板と補強板とを一層強固に連結することができ、これによって、補強
板をメイン基板に一層確実に連結して、ジャックを強固に補強することができる。
【００１８】
請求項５に記載の発明によれば、各連結板の縦杆部がメイン基板の各縦孔部と補強板の
各縦溝部を通って上下両円形孔部に挿入された状態で、該各連結板を所定角度回転させる
だけで、その各連結板の両端Ｔ字部を補強板とメイン基板とに係合させて、その補強板を
メイン基板に確実に連結することができる。
【００１９】
請求項６に記載の発明は第１の実施の形態（図１〜図３参照）に対応するものであって
、これによれば、ジャック本体をメイン基板と補強板とで挟んだ状態で、該補強板が各連
結板を介してメイン基板に連結されているから、プラグの抜き差しを繰り返しても、該プ
ラグの差し込みにより生じた押込力に対してはメイン基板で補強し、そのプラグの引き抜
きにより生じた引張力に対しては補強板で補強するものであって、従来のように引張力に
よりジャック本体の固定が弛んだり半田付けが剥離されて断線することがなく、ジャック
本体をメイン基板に長期にわたって確実に固定することができる。
【００２０】
また、各連結板の一端Ｔ字部をメイン基板の各横孔部に挿入し、該各連結板をＲＣＡジ
ャックに向かってスライドさせ、その各連結板の縦杆部をメイン基板の各縦孔部と補強板
の各係合溝とにそれぞれ係合させるだけで、各連結板の両端Ｔ字部を補強板とメイン基板
とに係合させて、その補強板をメイン基板に確実に連結して、ＲＣＡジャックを補強する
ことができる。
【００２１】
更に、補強板と両連結板とがメイン基板から切り離される捨て基板により形成されてい
るから、構造簡単で製作費が安くつく。
【００２２】
要するに、ＲＣＡジャックを強固に補強した使い勝手の良い液晶テレビなどの薄型表示
装置を提供することができる。
【発明を実施するための最良の形態】
【００２３】
図１〜図３は本発明の第１の実施の形態であるジャック補強装置を示すものであって、
これは液晶テレビなどの薄型表示装置１に設けたＲＣＡジャック４を補強するためのもの
であり（図８参照）、図１（ａ）は同縦断面図、図１（ｂ）は同平面図、図１（ｃ）はＡ
−Ａ矢視図、図２は同斜視図、図３は同分解斜視図である。
【００２４】
図１〜図３に示すように、ＲＣＡジャック４のジャック軸４Ｂの外径ｄ１よりも内径ｄ
２を大きく設定（ｄ１＜ｄ２）した複数（この例では３つ）のジャック嵌合孔９Ａを貫設
し両端に係合溝９Ｂを形成した補強板９と、一対の連結板１０とを有している。上記以外
の構成は図９に示す構成とほぼ同じであるから、同一部分に同一符号を付してその説明を
省略する。
【００２５】
図１〜図３に示すように、前記各連結板１０は、縦杆部１０ａと、該縦杆部１０ａの両
端から両側方に突出するＴ字部１０ｂとからなり、該両Ｔ字部１０ｂ間の間隔ｈ１がメイ
ン基板５の裏面からジャック本体４Ａの端面４ａに当接させた補強板９の表面までの間隔
ｈ２と同一またはわずかに大きく設定されている（ｈ１≧ｈ２）。
【００２６】
図３に示すように、前記補強板９の各係合溝９Ｂに対向してメイン基板５に一対の係合
孔１１が貫設され、該各係合孔１１は、ＲＣＡジャック４に向かって延びる縦孔部１１ａ
と、該縦孔部１１ａの外側端部からその縦孔部１１ａの形成方向とは直交する方向に沿っ
て延びる横孔部１１ｂとにより、平面視略Ｔ字状に形成され、縦孔部１１ａと係合溝９Ｂ
とが同一幅ｔ１に設定されると共に、その幅ｔ１が縦杆部１０ａの幅ｔ２と同一またはわ
ずかに大きく設定され（ｔ１≧ｔ２）、横孔部１１ｂの幅ｔ３がＴ字部１０ｂの幅ｔ４と
同一またはわずかに大きく設定されている（ｔ３≧ｔ４）。
【００２７】
組立手順を説明すると、補強板９のジャック嵌合孔９Ａをジャック軸４Ｂに遊嵌合させ
て該補強板９をジャック本体４Ａの端面４ａに当接させ、図１（ａ）（ｂ）に仮想線で示
すように、各連結板１０の一端Ｔ字部１０ｂを各横孔部１１ｂに挿入し、該各連結板１０
をＲＣＡジャック４に向かってスライドさせることにより、その各連結板１０の縦杆部１
０ａをメイン基板５の各縦孔部１１ａと補強板９の各係合溝９Ｂとにそれぞれ係合させ、
各連結板１０の両端Ｔ字部１０ｂをメイン基板５と補強板９とにそれぞれ係合させる（図
１実線及び図２参照）。
【００２８】
上記構成によれば、ジャック本体４Ａをメイン基板５と補強板９とで挟んだ状態で、該
補強板９が各連結板１０を介してメイン基板５に連結されているから、プラグ７の抜き差
しを繰り返しても、該プラグ７の差し込みにより生じた押込力Ｆ２に対してはメイン基板
５で補強し、そのプラグ７の引き抜きにより生じた引張力Ｆ１に対しては補強板９で補強
するものであって、従来のように引張力Ｆ１によりジャック本体４Ａの固定が弛んだり半
田付け６が剥離されて断線することがなく、ジャック本体４Ａをメイン基板５に長期にわ
たって確実に固定することができる。
【００２９】
また、各連結板１０の一端Ｔ字部１０ｂをメイン基板５の各横孔部１１ｂに挿入し、該
各連結板１０をＲＣＡジャック４に向かってスライドさせ、その各連結板１０の縦杆部１
０ａを各縦孔部１１ａと各係合溝９Ｂとにそれぞれ係合させるだけで、各連結板１０の両
端Ｔ字部１０ｂを補強板９とメイン基板５とに係合させて、その補強板９をメイン基板５
に確実に連結して、ＲＣＡジャック４を補強することができる。
【００３０】
更に、図１（ｂ）に仮想線で示すように、補強板９及び両連結板１０がメイン基板５か
ら切り離される捨て基板により形成されており、これによれば、構造簡単で製作費が安く
つく。また、図１（ａ）に示すように、各連結板１０をメイン基板５に半田付け６するこ
とにより、一層強固に補強することができる。
【００３１】
要するに、ＲＣＡジャック４を強固に補強した使い勝手の良い液晶テレビなどの薄型表
示装置１を提供することができる（図８参照）。
【００３２】
図４は本発明の第２の実施の形態であるジャック補強装置を示すものであって、図４（
ａ）は同平面図、図４（ｂ）はＢ−Ｂ矢視図、図４（ｃ）は同要部分解斜視図である。
【００３３】
図４に示すように、各係合溝９Ｂの内周面から該係合溝９Ｂ内に突出する凸部１３が設
けられ、該凸部１３に対向して各連結板１０に連結孔１４が形成されており、各連結板１
０の縦杆部１０ａをメイン基板５の各縦孔部１１ａと補強板９の各係合溝９Ｂに係合させ
ることにより、各連結孔１４を各凸部１３に嵌合させる。上記以外の構成は図１〜図３に
示す第１の実施の形態とほぼ同じであるから、同一部分に同一符号を付してその説明を省
略する。
【００３４】
上記構成によれば、各連結板１０の連結孔１４を補強板９の凸部１３に嵌合させること
により、その各連結板１０と補強板９とを一層強固に連結することができ、これによって
、補強板９をメイン基板５に一層確実に連結して、ＲＣＡジャック４を強固に補強するこ
とができる。
【００３５】
図５及び図６は本発明の第３の実施の形態であるジャック補強装置を示すものであって
、図５（ａ）は同縦断面図、図５（ｂ）は同平面図、図５（ｃ）はＣ−Ｃ矢視図、図６は
同分解斜視図である。
【００３６】
図５及び図６に示すように、メイン基板５の各係合孔１１が、ＲＣＡジャック４に向か
って延びる縦孔部１１ａと、該縦孔部１１ａの中央に形成され縦杆部１０ａの幅ｔ２より
も内径ｄ３を大きく設定（ｔ２＜ｄ３）した下側円形孔部１１ｃとからなり、縦孔部１１
ａの幅ｔ５がＴ字部１０ｂの幅ｔ４よりも大きく設定されている（ｔ５＞ｔ４）。
【００３７】
図５及び図６に示すように、補強板９の各係合溝９Ｂが、前記各縦孔部１１ａに沿って
延びる縦溝部９ａと、該縦溝部９ａに形成されて前記下側円形孔部１１ｃと同径ｄ３で同
心状に位置決めされる上側円形孔部９ｂとからなっている。上記以外の構成は図１〜図３
に示す第１の実施の形態とほぼ同じであるから、同一部分に同一符号を付してその説明を
省略する。
【００３８】
組立手順を説明すると、連結板１０の縦杆部１０ａを各縦孔部１１ａ及び各縦溝部９ａ
を通って上下両円形孔部９ｂ，１１ｃに挿入した状態で〔図５（ｂ）仮想線参照〕、該各
連結板１０を所定角度（この例では９０°）回転させることにより、その各連結板１０の
両端Ｔ字部１０ｂをメイン基板５と補強板９とにそれぞれ係合させる。
【００３９】
上記構成によれば、各連結板１０の縦杆部１０ａを上下両円形孔部９ｂ，１１ｃに挿入
した状態で、該各連結板１０を所定角度回転させるだけで、その各連結板１０の両端Ｔ字
部１０ｂを補強板９とメイン基板５とに係合させて、その補強板９をメイン基板５に確実
に連結することができる。
【００４０】
上記各実施の形態では、メイン基板５に固定した３本のＲＣＡジャック４を補強する場
合を例にあげて説明したが、これに限定されるわけではなく、図７に示すように、１本の
ＲＣＡジャック４を補強する場合にも適用することができる（第４の実施の形態）。
【００４１】
また、ＲＣＡジャック４以外の例えばイヤージャックなどの各種ジャックの補強にも適
用することができる。
【図面の簡単な説明】
【００４２】
【図１】（ａ）は本発明の第１の実施の形態であるジャック補強装置を示す縦断面図、（ｂ）は同平面図、（ｃ）はＡ−Ａ矢視図である。
【図２】同斜視図である。
【図３】同分解斜視図である。
【図４】（ａ）は本発明の第２の実施の形態であるジャック補強装置を示す平面図、（ｂ）はＢ−Ｂ矢視図、（ｃ）は同要部分解斜視図である。
【図５】（ａ）は本発明の第３の実施の形態であるジャック補強装置を示す縦断面図、（ｂ）は同平面図、（ｃ）はＣ−Ｃ矢視図である。
【図６】同分解斜視図である。
【図７】本発明の第４の実施の形態であるジャック補強装置を示す正面図である。
【図８】ジャックを備えた薄型表示装置の裏面側斜視図である。
【図９】（ａ）は従来例を示す縦断面図、（ｂ）の同斜視図である。
【符号の説明】
【００４３】
１          薄型表示装置
４          ＲＣＡジャック
４Ａ        ジャック本体
４Ｂ        ジャック軸
４ａ        ジャック本体の端面
７          プラグ
９          補強板
９Ａ        ジャック嵌合孔
９Ｂ        係合溝
９ａ        縦溝部
９ｂ        上側円形孔部
１０        連結板
１０ａ      連結板の縦杆部
１０ｂ      連結板のＴ字部
１１        係合孔
１１ａ      縦孔部
１１ｂ      横孔部
１１ｃ      下側円形孔部
１３        凸部
１４        連結孔
【図１】
2008282562.tif 000003
【図２】
2008282562.tif 000004
【図３】
2008282562.tif 000005
【図４】
2008282562.tif 000006
【図５】
2008282562.tif 000007
【図６】
2008282562.tif 000008
【図７】
2008282562.tif 000009
【図８】
2008282562.tif 000010
【図９】
2008282562.tif 000011